(57)【要約】【課題】  栽培用具を購入して簡単に植物の栽培ができる植物栽培用パックを提供することにある。【解決手段】  鉢型又はプランター型等の容器１０と、容器１０の側壁部に設けた水抜き孔１１と、容器１０内に載置した保水性を有する培地１２と、培地１２を覆う培養土１３と、容器１０内の培養土１３を覆って容器１０を塞ぐ蓋体１４とをそなえており、蓋体１４で塞いだ容器をシュリンクフィルム１５で密封包装した植物栽培用パックである。【選択図】  図１
2008048697.tif 000002
【特許請求の範囲】
【請求項１】
側面に水抜き孔を多数設けた鉢又はパン等の容器と、該容器に詰め込められ、該水抜き孔を塞ぐ保水性を有する培地と、該培地を覆う培養土と、該容器内の培養土を覆って該容器を塞ぐ通水及び種子又は植込孔が多数設けられた蓋体とからなり、該蓋体で該培養土を押さえた該容器を樹脂包装シートで密封包装したことを特徴とする植物栽培用パック。
【請求項２】
前記培地がロックウールであり、前記培養土が腐葉土にハイドロボール、オガクズバーク、ピートモス、バーキュライト、パーライトの少なくとも１種、又は２種以上を配合したことを特徴とする請求項１に記載の植物栽培用パック。
【請求項３】
前記蓋体が通水孔及び種子又は植込孔となる多数の孔が網の目状に形成された網目シートを枠体に設けたものであることを特徴とする請求項１又は２に記載の植物栽培用パック。
【請求項４】
前記培養土と前記培地とを詰め込んで前記蓋体で塞いだ前記容器の前記樹脂包装シートによる密封包装がシュリンクパックによることを特徴とする請求項１から３の何れか１項に記載の植物栽培用パック。
【発明の詳細な説明】
【技術分野】
【０００１】
本発明は、種蒔きや植物の栽培が簡単にできる植物栽培用パックに関し、殊に種蒔きや植物栽培に適した培地を容器に詰め込んだ栽培用具を販売流通での運搬や商品陳列に適した形態とした植物栽培用パックに関する。
【背景技術】
【０００２】
従来の植物栽培用のプランターはプランターと植物の栽培に適した用土とを購入し、用土をプランターに詰め込んで種を蒔いたり、植物の苗を植えたりし、植物に必要な湿り気を用土に与えねばならならい。図４は従来の植物栽培用のプランターを示し、プランター本体１の内部に植物５を栽培する培地６を設け、プランター本体１の底部に凹溝２を設け、凹溝２に温調パイプ３を挿通し、温水や冷水を循環すようにし、プランター本体１の上部には、点滴パイプ４を挿通して液肥及び水を一定の時間間隔に供給し、植物を冷害や渇水から保護しつつ植物の栽培ができるようにしたものがあり、植物の栽培管理が比較的簡単にできるように工夫したものである（例えば、特許文献１参照）。
【０００３】
【特許文献１】特開平１１−２９９３５６号公報（明細書全文，図面全図）
【発明の開示】
【発明が解決しようとする課題】
【０００４】
従来例の植物栽培用のプランターは、プランターによる植物の栽培が温度変化や冷害に弱いといった欠点があり、このような問題点を解消するためになされたものであり、植物の栽培が気温や渇水に強い栽培が可能である点で優れている。しかし、プランター内に詰め込む培地は、別に調達しなければ植物を栽培することができないし、保水性等を考慮した培地の調整は初心者には困難な面があり、簡易に植物の栽培ができる栽培用具としては改良の余地があった。また、上記栽培用具の流通形態を考慮した場合、各部品をセットにして販売し、購入者がそれを組み立てる必要があり、組立後、培地の保水性、栄養素等を考慮して培養土を購入してプランター内に詰め込まねばならないし、初心者が培地を調整するのは困難な面があり、また、ベランダなどで栽培する場合、培養土を調整する場所にも困ることもあった。また、業者が栽培用具をセットして提供する必要があり、栽培用具としての簡便性の点では改良の余地があった。
【０００５】
本発明は、上述のような課題に鑑みなされたものであり、栽培用具を購入し包装を開封して簡単に種蒔きや植物の栽培ができる植物栽培用パックを提供することを目的とする。
【課題を解決するための手段】
【０００６】
本発明は、上述の課題を解決したものであり、請求項１の発明は、側面に水抜き孔を多数設けた鉢又はパン等の容器と、該容器に詰め込められ、該水抜き孔を塞ぐ保水性を有する培地と、該培地を覆う培養土と、該容器内の培養土を覆って該容器を塞ぐ通水及び種子又は植込孔が多数設けられた蓋体とからなり、該蓋体で該培養土を押さた該容器を樹脂包装シートで密封包装したことを特徴とする植物栽培用パックである。
【０００７】
また、請求項２の発明は、前記培地がロックウールであり、前記培養土が腐葉土にハイドロボール、オガクズバーク、ピートモス、バーキュライト、パーライトの少なくとも１種、又は２種以上を配合したことを特徴とする請求項１に記載の植物栽培用パックである。
【０００８】
また、請求項３の発明は、前記蓋体が通水孔及び種子又は植込孔となる多数の孔が網の目状に形成された網目シートを枠体に設けたものであることを特徴とする請求項１又は２に記載の植物栽培用パックである。
【０００９】
また、請求項４の発明は、前記培養土と前記培地とを詰め込んで前記蓋体で塞いだ前記容器の前記樹脂包装シートによる密封包装がシュリンクパックによることを特徴とする請求項１から３の何れか１項に記載の植物栽培用パックである。
【発明の効果】
【００１０】
請求項１の発明では、側面に水抜き孔を多数設けた鉢又はパン等の容器と、該容器に詰め込められ、該水抜き孔を塞ぐ保水性を有する培地と、該培地を覆う培養土と、該容器内の培養土を覆って該容器を塞ぐ通水及び種子又は植込孔が多数設けられた蓋体とからなり、該蓋体で該培養土を押さた該容器を樹脂包装シートで密封包装したことを特徴とする植物栽培用パックであるので、種蒔き、苗の植込み等植物の育成に必要な培地、培養土が容器に詰め込まれて梱包されて販売されており、購入後、梱包を開封すれば、直ちに種蒔きや植物の植え付けが可能である利点があり、殊に家庭での植物の栽培に適している。また、植物栽培用パックは、植物の生育環境の整った容器を密封包装した梱包形態であり、輸送時に簡単に容器内容物が散乱するといったことがなく、輸送が容易であるとともに、この植物栽培用パックを店頭の陳列棚等に並べるだけで直ぐに植物栽培用具として販売することができる利点がある。また、容器側面に水抜き孔が設けられているので、容器の底には常に植物に必要な湿り気が与えられており、日照りなどで乾燥し易い場所での栽培にも適している。
【００１１】
また、請求項２の発明では、前記培地がロックウールであり、前記培養土が腐葉土にハイドロボール、オガクズバーク、ピートモス、バーキュライト、パーライトの少なくとも１種、又は２種以上を配合したことを特徴とする請求項１に記載の植物栽培用パックであるので、植物に必要な栄養素を含み、保水性にも優れ、植物の品種毎に最適な培養土を提供できる利点がある。
【００１２】
また、請求項３の発明では、前記蓋体が通水孔及び種子又は植込孔となる多数の孔が網の目状に形成された網目シートを枠体に設けたものであることを特徴とする請求項１又は２に記載の植物栽培用パックであるので、蓋体が通水孔、種子孔又は植込孔として利用することができ、例えば、種子孔に種を入れることにより所定の間隔で種蒔きが可能であり、その通水孔（種子又は植込孔）から水を培養土に供給され、種子や苗或いは植物の栽培にすることも可能であり、蓋体が水遣り時に培養土が飛び散りるのを防いだり、水分の蒸発を防止して必要な湿り気を確保するのにも有効である。なお、蓋体が生分解性プラスチック製であれば、半年程度で分解し土に帰るため環境に与える負荷を軽減することができる。
【００１３】
また、請求項４の発明では、前記培養土と前記培地とを詰め込んで前記蓋体で塞いだ前記容器の前記樹脂包装シートによる密封包装がシュリンクパックによることを特徴とする請求項１から３の何れか１項に記載の植物栽培用パックであるので、購入者は樹脂包装シートによる包装を開封すれば、直ちに種を蒔いたり、植物の植え付けることが可能であり、家庭などで培養土の調整をする必要がなく、簡単に植物の栽培が可能である。
【発明を実施するための最良の形態】
【００１４】
以下、本発明に係る植物栽培用パックの実施の形態について図面を参照して説明する。本実施形態は、植物の栽培を直ちに開始することができるように培地等がセットされた栽培用具であり、また、栽培用具が植物の栽培を直ちに開始可能な形態で販売することができる植物栽培用パックに関する。
【００１５】
図１（ａ）は本実施形態を示す側面図であり、図１（ｂ）は蓋体をしたパン型容器の斜視図である。同図において、１０はパン型容器であり、パン型容器１０の側壁部に水抜き孔１１が設けられ、容器内に保水性を維持するためにブロック状の培地１２が載置され、培地１２を覆うように培養土１３が詰め込まれ、さらに、培養土１３を覆って、パン型容器１０を塞ぎ、培養土１３を押さえ、通水孔及び種子又は植込孔１４ａが多数設けられた蓋体１４が設けられ、さらに蓋体１４で塞がれたパン型容器１０の外周を樹脂包装シート１５で密封包装されている。このように植物栽培用パックは、培地１２と培養土１３がパン型容器１０内に詰め込まれ、蓋体１４で塞がれたパン型容器１０を樹脂包装シート１５で密封包装したものである。
【００１６】
培地１２は植物に必要な微量元素が含有し、植物の根の成長が土の栽培環境に近いロックウールが好ましく、パン型容器１０の内側に嵌るブロック形状のものであり、立方体形状のブロックが使用される。なお、培地１２は通水性を有する多孔質のプラスチックを利用することも可能であるが、微量元素を与えねばならないし、根の成長を促す環境や耐久性等を考慮すると、ロックウールが最も好ましい。なお、多孔質のプラスチックは、吸水性ポリマーなどのように、吸水性に富み、根の成長が良好なように繊維状のものを束ねてブロック化した材質であれば、渇水し易い環境での植物の栽培に適してものとすることが可能である。また、培地１２はシート状の吸水性ポリマーを他の素材（天然又は樹脂素材）のものと積層してブロック化したものであってもよく、ロックウールに限るものではない。
【００１７】
培養土１３は、腐葉土にハイドロボール、オガクズバーク、ピートモス、バーキュライト、パーライトの少なくとも１種、又は２種以上を配合したものが使用される。腐葉土は植物の栄養源とし、ハイドロボール、オガクズバーク、ピートモス、バーキュライト、パーライトは、通水性、保水性、保肥性を与え、これらのから植物、植物の根の生長に適したものが選択されてパン型容器１０内に詰め込まれている。
【００１８】
蓋体１４は、多数の貫通孔が碁盤の目のように設けられ、この貫通孔は通水孔及び種子孔又は植込孔として利用する。蓋体１４は、板状部材に通水孔及び種子孔又は植込孔１４ａが設けられ、このような用途の貫通孔が多数設けられた板状部材を枠体１４ｂに一体に形成したものである。蓋体１４の材質はプラスチック製であり、特に限定するものではないが、例えば生分解性プラスチックを使用してもよい。生分解性プラスチックの蓋体１４は半年ほどで分解するものが好ましい。生分解性プラスチックは、澱粉を利用したものや、キチン・サトサンを利用したものや、セルロースを使用したもの等が用いられ、これらは植物の栄養源としても利用することができる。なお、蓋体１４は、容器１０内に載置してもよいし、容器１０内に係止部を設けて蓋体１４をその係止部に固定するようにしてもよい。また、蓋体１４は、図２に示すように、枠体１４ｂに溝１４ｃを設け、貫通孔が網の目状に形成された網目シート１４ｅの周縁部を溝１４ｃ内に差し込んでパッキン部材１４ｄで固定したものであってもよい。
【００１９】
パン型容器１０の密封包装は、シュリンクフィルム等の樹脂包装シート１５を熱収縮したシュリンクパックであり、密封包装した状態でパン型容器１０を逆さまにしたとしてもパン型容器１０内の培地１２や培養土１３等がこぼれ落ちることがなく、このような包装形態で販売が可能である。また、シュリンクパックを開封することによって、植物の栽培用具として直ちに使用することができる。なお、販売時は、蓋体１４の通水孔及び種子孔又は植込孔１４ａの上に発泡樹脂シート等で空間を埋めてシュリンクパックしてもよい。
【００２０】
上記のように、本発明の植物栽培用パックは、パン型容器１０に、培地１２、培養土１３、及び蓋体１４が設けられ、さらに蓋体１４で塞がれたパン型容器１０をシュリンクフィルム（樹脂包装シート）１５を熱収縮させてシュリンクパックしたものである。上記のように、本発明の植物栽培用パックは、購入して直ちに栽培が可能な形態で顧客に提供することができる。
【００２１】
次に、図３を参照し他の実施形態について説明する。図３の植物栽培用パックは、鉢型容器２０と、鉢型容器２０の側壁部に設けた水抜き孔２１を覆うブロック状の培地２２が載置され、培地２２を覆うように培養土２３が詰め込まれ、さらに、培養土２３を覆って、鉢型容器２０を塞ぎ、培養土２３を押さえるように蓋体２４が設けられ、さらに蓋体２４で塞がれたプランター型容器２０の外周を樹脂包装シート（図示を省略した）で密封包装される。密封包装は、上記実施形態と同様にシュリンクフィルム等の樹脂包装シートを熱収縮したシュリンクパックであり、植物栽培用パックを逆さまにしたとしても鉢型容器２０内の培地２２や培養土２３等がこぼれ落ちることがなく、このような包装形態で販売が可能であり、購入者はシュリンクパックを開封することによって、植物の栽培用具として直ちに使用することができる。
【００２２】
なお、本実施形態における培地２２、培養土２３は、上記実施形態と同様のものである。また、培地２２は、複数のブロックを載置するようにしてもよい。さらに、ブロック状の培地２２に数カ所切り込み部を有するものであってもよい。この場合、ブロックの切り込む部を設けることによって、植物の根が切り込みを通してブロック内に成長し易いものとすることができる。
【００２３】
なお、上記実施形態では、パン型と鉢型容器で説明したが、この実施形態に限定されることなく、これらとは異形形状の容器であってもよい。また、樹脂包装シートには、栽培可能な植物を印刷したり、栽培方法を印刷することも可能である。また、植物栽培用パックは、シュリンクパックされた全てが植物に害となるバクテリアや害虫などが無い環境に維持することができる。
【産業上の利用可能性】
【００２４】
本発明の活用例としては、購入して直ちに栽培が可能な栽培用具を植物栽培用パックとしたものであり、植物栽培用パックは商品として流通・販売可能な形態であり、植物栽培用パックを栽培用具として販売することが可能である。
【図面の簡単な説明】
【００２５】
【図１】（ａ）は本発明に係る植物栽培用パックの一実施形態を示す断面図、（ｂ）はその容器に蓋体を設けた斜視図である。
【図２】本実施形態における蓋体の他の形態を示す斜視図である。
【図３】本発明に係る植物栽培用パックの他の実施形態を示す断面図である。
【図４】従来のプランターによる栽培用具の一例を示す断面図である。
【符号の説明】
【００２６】
１０  パン型容器
１１，２１  水抜き孔
１２，２２  培地
１３，２３  培養土
１４，２４  蓋体
１４ｅ  網目シート
１５，２５  シュリンクフィルム（樹脂包装シート）
２０  鉢型容器
【図１】
2008048697.tif 000003
【図２】
2008048697.tif 000004
【図３】
2008048697.tif 000005
【図４】
2008048697.tif 000006